(57)【要約】【課題】  基板本体に実装された回路部品を視認できるように情報記憶媒体を基板本体に取り付ける。【解決手段】  ＲＦＩＤタグ１８の下面１８ａの略中心に、第１弾性アーム２５と第２弾性アーム２６とからなる弾性アーム対２４を設ける。プリント配線板１７の片隅近傍に嵌合孔１７ｂを穿設する。この嵌合孔１７ｂに係止突起２５ｂ、２６ｂが嵌め込まれると、プリント配線板１７はアーム部２５、２６の付勢力によって係止突起２５ｂ、２６ｂに挟持される。これによりＲＦＩＤタグ１８はプリント配線板１７の周縁に固定される。【選択図】        図３
2005074145.tif 000002
【特許請求の範囲】
【請求項１】
電子回路を構成する回路部品が実装された基板本体に、通信アンテナと、この通信アンテナを介して所定装置とのデータ通信が可能な集積回路とを有する情報記憶媒体を備えた遊技機用の電子回路基板において、
前記情報記憶媒体を前記基板本体の側端面に対峙するように配置し、前記回路部品に接触しないように前記基板本体に前記情報記憶媒体を装着したことを特徴とする遊技機用の電子回路基板。
【請求項２】
前記情報記憶媒体に、情報記憶媒体を前記基板本体に取り付ける取り付け部材を設けたことを特徴とする請求項１記載の遊技機用の電子回路基板。
【請求項３】
前記取り付け部材は、前記基板本体を挟み込む挟持部材であることを特徴とする請求項２記載の遊技機用の電子回路基板。
【請求項４】
前記情報記憶媒体に、遊技機を構成する部品に関連する情報を記憶させておき、前記情報を記憶して管理する管理装置と前記情報記憶媒体との間でデータ通信を可能としたことを特徴とする請求項１ないし３のいずれか１つに記載の遊技機用の電子回路基板。
【請求項５】
請求項１ないし４のいずれか１つに記載の遊技機用の電子回路基板を備えたことを特徴とする遊技機。
【発明の詳細な説明】
【技術分野】
【０００１】
本発明は、遊技機用の電子回路基板及び遊技機に関し、詳しくは情報記憶媒体が取り付けられた遊技機用の電子回路基板、及びその電子回路基板を備えた弾球遊技機又は回動式遊技機などの遊技機に関する。
【背景技術】
【０００２】
電波を介して非接触でＩＤコード（ＩＤｅｎｔｉｆｉｃａｔｉｏｎ  Ｃｏｄｅ）を認識する技術（ＲＦＩＤ（Ｒａｄｉｏ  Ｆｒｅｑｕｅｎｃｙ  ＩＤｅｎｔｉｆｉｃａｔｉｏｎ））が急速に発展しており、現在、鉄道やバスの定期券、高速道路の料金回収などで多く実用化されている。この技術は工業製品に組み込まれている部品の管理にも採用されており、管理の効率化、確実化を促進している。
【０００３】
例えば、工場などで工業製品を製造する場合、まず、工業製品を構成する構成部品に関する各種情報（例えば、製造日、出荷先、出荷日、機種名、製造番号、再利用回数などの情報）が格納されたＲＦＩＤタグ（非接触で情報のやり取りができる情報記録媒体）が構成部品に取り付けられる。ＲＦＩＤタグが取り付けられた構成部品はベルトコンベアで搬送される。搬送経路の所定位置には読み出し及び書き込み装置、あるいは、読み出し又は書き込み装置（以下、「読み出し／書き込み装置」と称す）を組み込んだゲート又はアンテナ等の装置が設置されている。読み出し／書き込み装置はＲＦＩＤタグに対して電波を発信し、非接触で情報の読み出し、あるいは書き込みを行なうものであり、構成部品がゲートを通過、又はアンテナ等の装置のコンタクト位置に配置されることで、読み出し／書き込み装置とＲＦＩＤタグとの間でデータ通信が行われる。
【０００４】
また、遊技機が配設される遊技店などでは、携帯型の読み出し／書き込み装置が用いられる。これは、ユーザーが手に持って操作できるものであり、読み出し／書き込み装置を遊技店に設置されているＲＦＩＤタグが備えられている遊技機を構成する部品の箇所に向けて操作することによってＲＦＩＤタグに対して情報の読み書きを行なう。
【０００５】
ＲＦＩＤタグに格納されている情報を読み出し／書き込み装置で読み出した場合、読み出された情報は読み出し／書き込み装置を介して管理装置であるホストコンピュータに転送される。また、ＲＦＩＤタグに対して情報の書き込みを行なう場合、読み出し／書き込み装置は必要な情報をホストコンピュータから適宜に読み出し、その読み出した情報をＲＦＩＤタグに書き込む。このようにして遊技機の構成部品に関する各種情報はホストコンピュータにて総合管理される。
【発明の開示】
【発明が解決しようとする課題】
【０００６】
しかしながら、遊技機における遊技動作を制御する制御基板などの電子回路が構成されている基板に情報のやり取りができる情報記憶媒体を取り付ける場合、基板に情報記憶媒体を取り付けるためのスペースを確保しなければならず、そのため基板に実装される各種回路部品のレイアウトに大きな影響を及ぼしていた。
【０００７】
基板面から垂直に細い棒状の支柱を立設し、この支柱の先端に情報記憶媒体を取り付けて、情報記憶媒体を基板上で浮かせた状態にして設置すれば、基板に実装される各種回路部品のレイアウトへの影響を少なくすることができるが、基板の表面が情報記憶媒体によって覆われるので、基板に実装されている各種回路部品が見えにくくなり、基板の点検や管理が行いにくくなるという問題が発生してしまう。
【０００８】
また、基板に情報記憶媒体を取り付けるためのスペースを確保し、基板面に直接情報記憶媒体を取り付けた場合、読み出し／書き込み装置と情報記憶媒体との間で行われるデータ通信は、基板を収納するケースや、そのケースを組み込む遊技機の筺体などを間に挟んで行われるため、情報記憶媒体と読み出し／書き込み装置との通信距離が開いてしまうという問題があった。それに加えて、基板に実装されている電子回路から発生する磁場や静電気などが電波障害となり、読み出し／書き込み装置から情報記憶媒体に向けて発信される電波が微弱電波である場合には情報記憶媒体に対して確実に情報の読み出し／書き込みができなかった。逆に、基板上の情報記憶媒体に電波が届いた場合には、この電波が電気的ノイズとなり、基板に実装されている電子回路の誤作動を誘発してしまう恐れがあった。
【０００９】
本発明は上記課題を解決するためになされたものであり、電子回路を構成する各種回路部品が実装された基板に情報記憶媒体が取り付けられた遊技機用の電子回路基板において、基板上の様子を視認可能にするとともに、基板に実装される回路部品などのレイアウトに影響を及ぼすことなく情報記憶媒体を基板に取り付けることができ、且つ、読み出し／書き込み装置から発信される電波の強弱に関わらず、読み出し／書き込み装置と情報記憶媒体との間で確実にデータ通信を行うことができるようにした遊技機用の電子回路基板、及びその電子回路基板を備えた遊技機を提供することを目的とする。
【課題を解決するための手段】
【００１０】
上記目的を達成するために、本発明の遊技機用の電子回路基板は、電子回路を構成する回路部品が実装された基板本体に、通信アンテナと、この通信アンテナを介して所定装置とのデータ通信が可能な集積回路とを有する情報記憶媒体を備えたものであり、前記情報記憶媒体を前記基板本体の側端面に対峙するように配置し、前記回路部品に接触しないように前記基板本体に前記情報記憶媒体を装着したものである。
【００１１】
また、前記情報記憶媒体に、情報記憶媒体を前記基板本体に取り付ける取り付け部材を設けることが好ましい。
【００１２】
また、前記取り付け部材は、前記基板本体を挟み込む挟持部材であることが好ましい。
【００１３】
前記情報記憶媒体に、遊技機を構成する部品に関連する情報を記憶させておき、前記情報を記憶して管理する管理装置と前記情報記憶媒体との間でデータ通信を可能にすることが好ましい。
【００１４】
本発明の遊技機は、上記の電子回路基板を備えたものである。
【発明の効果】
【００１５】
本発明の遊技機用の電子回路基板及び遊技機によれば、情報記憶媒体を基板本体の側端面に対峙するように配置し、基板本体に実装された回路部品に接触しないように基板本体に情報記憶媒体を装着したので、回路部品のレイアウトの自由度を高めることができる。また、基板本体の表面が視認し易くなるので、基板本体に実装されている各種部品の点検や管理を容易に行うことができる。さらに、情報記憶媒体が基板本体上にないので、電波によって誘発される基板本体上の電子回路の誤作動も防止することができる。
【００１６】
また、前記情報記憶媒体に、情報記憶媒体を前記基板本体に取り付ける取り付け部材を設けたので、情報記憶媒体を基板本体から離間させて配設でき、所定装置とのデータ通信の距離が短縮され、正確なデータ通信が行なえるようになる。
【００１７】
また、情報記憶媒体に基板本体を挟み込む挟持部材を設けたので、情報記憶媒体の基板本体上での揺れを抑制でき、常に正確なデータ通信が行われるようになる。また、情報記憶媒体の取り付けや取り外しにおける作業効率を高めることができる。
【００１８】
情報記憶媒体に、遊技機を構成する部品に関連する情報を記憶させておき、前記情報を記憶して管理する管理装置と情報記憶装置との間でデータ通信を可能にしたので、前記部品が正規の部品か、又は再利用可能か否かを正確に、且つ容易に判断することができ、効率の良い部品管理を行うことができるようになる。
【発明を実施するための最良の形態】
【００１９】
図１に示すように、パチンコ機（遊技機）２の本体基部３の内部には、遊技盤４が配設されており、遊技盤４の前面には前面枠５が開閉自在に設けられている。前面枠５の下方には、打球供給用の供給皿６及びパチンコ球の打ち出し強さを調節する操作ハンドル７が設けられている。遊技盤４の遊技領域４ａの略中央には、予め定められた入賞口へパチンコ球を入賞させるなどの所定入賞条件に基づいて様々な図柄やキャラクタなどを所定時間内変動表示させた後に停止表示させる図柄表示装置８が配置される。その周りには様々な種類の入賞口９及びアウト口１０が設けられている。遊技者は、供給皿６にパチンコ球を投入することでパチンコ球を発射装置へと導き、操作ハンドル７を回動操作して、遊技盤４の上方に向けてパチンコ球を打ち出す。打ち出されたパチンコ球は遊技領域４ａの上方から流下する途中でいずれかの入賞口９に入るか、あるいはアウト口１０から回収される。なお、遊技領域４ａに設けられている複数の釘、風車などの構造物は公知であるので説明は省略する。
【００２０】
図２に示すように、パチンコ機２の本体基部３には、遊技を行う際に各種装置を作動させるための主制御を行う主制御回路基板１１（電子回路基板）の他に、図柄表示装置８や図示しないランプ装置及び音声発生装置等の作動制御を行う各種制御回路基板１２、球発射装置１３、球払出装置１４等が設けられている。これら制御回路基板及び装置は、図示しないケーブル等を介して電気的に接続されている。
【００２１】
主制御回路基板１１は、保安用の収納ケース１５に着脱自在に収納されている。収納ケース１５は、ケース基部１５ａと蓋１５ｂとから構成されている。ケース基部１５ａは主制御回路基板１１を取り付けるためのベース部材であり、パチンコ機２の背面に工業用接着剤、又はビス等で交換可能に取り付けられている。蓋１５ｂは、ケース基部１５ａに対して図中２点鎖線矢印方向に回動自在となるように、図示しないヒンジを介してケース基部１５ａの下部に組み付けられている。ケース基部１５ａの上部には、蓋１５ｂを閉じ状態で保持する図示しないビスが挿通されるビス挿通孔１６ａが穿設された保持部材１６が、図中太線矢印方向に回動自在となるように軸着されている。保持部材１６のビス挿通孔１６ａと、蓋１５ｂに形成されたビス取り付け用穴（不図示）とにビスを通して締めることにより、蓋１５ｂはケース基部１５ａに対して固定される。これにより主制御回路基板１１は何人も接触できないように防護される。
なお、ケース基部１５ａと蓋１５ｂとはビス締め固定に限らず、例えば、離脱不能とする接着剤やカシメによる固定、あるいは熱溶接などの公知の固定方法によって、ケース基部１５ａと蓋１５ｂとが分離されないように固定されていれば良い。また、ケース基部１５ａは透光性を有するＡＢＳ樹脂（アクリロニトリル−ブタジエン−スチレン樹脂）などの合成樹脂で成形されることが好ましい。これにより主制御回路基板１１の様子を容易に視認できるようになり、主制御回路基板１１点検や保守が行い易くなる。
また、本実施形態ではケース基部１５ａをパチンコ機２の背面に工業用接着剤を用いて取り付けているが、ビス締め固定、カシメによる固定などの公知の方法によって、ケース基部１５ａとパチンコ機２とが分離されないように固定されていれば良い。
【００２２】
主制御回路基板１１は、ＣＰＵ（Ｃｅｎｔｒａｌ  Ｐｒｏｃｅｓｓｉｎｇ  Ｕｎｉｔ）及びスロットマシン２の遊技動作プログラムを記憶したＲＯＭ（Ｒｅａｄ  Ｏｎｌｙ  Ｍｅｍｏｒｙ）などの各種回路部品を実装してなるプリント配線板１７（基板本体）と、ＲＦＩＤタグ１８（情報記憶媒体）とから構成されている。なお、各種回路部品は、図３、図４に示すプリント配線板１７上のハッチング箇所に実装されている。
【００２３】
プリント配線板１７の周縁には、ＲＦＩＤタグ１８が取り付けられている。図５に示すように、ＲＦＩＤタグ１８は、ＩＣチップ１９（集積回路）と、このＩＣチップ１９に銅線２０を介して接続された円盤状の送信及び受信アンテナ、或いは送信又は受信アンテナのいずれかからなる送受信アンテナ２１（通信アンテナ）とを備えている。なお、ＲＦＩＤタグ１８は、送受信アンテナ２１の下面１８ａがプリント配線板１７の側端面１７ａに対面するように配置される。
【００２４】
送受信アンテナ２１は、読み出し／書き込み装置となるＲＦＩＤリーダ／ライタ２２（所定装置）（以下、「リーダ／ライタ」は「Ｒ／Ｗ」と記載）から受けた電波を電磁誘導によって電力として蓄積し、これをエネルギーとしてＩＣチップ１９を動作させる。
【００２５】
ＩＣチップ１９には、製造日、出荷日、出荷先、機種名、機種番号、再利用回数などの主制御回路基板１１、又は主制御回路基板１１を取り付ける部材に纏わる各種情報が記憶可能なメモリ（不図示）と、送受信アンテナ２１を介してＲＦＩＤ  Ｒ／Ｗ２２と通信を行なう通信回路（不図示）とが設けられている。ＲＦＩＤ  Ｒ／Ｗ２２には、ＲＦＩＤタグ１８、あるいは遊技場に設置された遊技機を管理する管理装置であるホストコンピュータ（不図示）との間で電波の送受信を行なうアンテナ２２ａが設けられている。
【００２６】
前記各種情報はホストコンピュータによって一括管理されている。ＲＦＩＤ  Ｒ／Ｗ２２は、ホストコンピュータから前記各種情報の更新情報などを適宜に読み出し、その読み出した情報をＩＣチップ１９のメモリに書き込んで記録するか、または、ＩＣチップ１９のメモリに記録されている情報を読み取るか、の少なくともいずれか一方を行う。従って、主制御回路基板２４の更新情報を適宜に確認することができる。また、読み取られた情報は一旦ＲＦＩＤ  Ｒ／Ｗ２２内の記憶可能なメモリ（不図示）に蓄積され、データ転送用ケーブル２３又は無線電信などを介してホストコンピュータへ転送され、点検管理される。
【００２７】
図３に示すように、送受信アンテナ２１の下面１８ａの略中心にはＲＦＩＤタグ１８をプリント配線板１７に取り付ける取り付け部材である弾性アーム対２４（挟持部材）が突設されている。弾性アーム対２４は、第１弾性アーム２５と第２弾性アーム２６から構成されている。第１弾性アーム２５は、アーム部２５ａと係止突起２５ｂとからなり、アーム部２５ａは、弾性変形する性質を有するプラスチックからなる板バネで形成され、このアーム部２５ａの先端に断面形状が略半円状の係止突起２５ｂが形成されている。第２弾性アーム２６は、アーム部２６ａと係止突起２６ｂとからなり、第１弾性アーム２５と同様に形成されている。このように形成された第１、第２弾性アーム２５、２６は送受信アンテナ２１の下面１８ａにて互いの係止突起２５ｂ、２６ｂが近接し、且つ対向するように配置されている。
【００２８】
プリント配線板１７の片隅近傍には係止突起２５ｂ、２６ｂが嵌め込めこまれる嵌合孔１７ｂが穿設されている。図４に示すように、この嵌合孔１７ｂに係止突起２５ｂ、２６ｂが嵌め込まれると、プリント配線板１７はアーム部２５、２６の付勢力によって係止突起２５ｂ、２６ｂに挟持される。なお、アーム部２５、２６の付勢力は、プリント配線板１７の厚みｔだけ弾性変形した際に生成される。
【００２９】
プリント配線板１７の下面の４隅には主制御回路基板１１をケース基部１５ａに着脱自在に取り付ける取り付け棒２７が突設されている。図２及び図４に示すように、取り付け棒２７は工業用接着剤などによってケース基部１５ａの所定箇所に固着され、主制御回路基板１１はケース基部１５ａ上で取り付け棒２７によって支持される。
なお、取り付け棒２７の長さは送受信アンテナ２１の半径よりも長く、且つ、取り付け棒２７をケース基部１５ａに取り付けて蓋１５ｂを閉じた際に、取り付け棒２７、プリント配線板１７、及びＲＦＩＤタグ１８が収納ケース１５に収納できるように設計されている。
また、プリント配線板１７の嵌合孔１７ｂは、図２に示すように、主制御回路基板１１をケース基部１５ａ内部の所定位置に取り付け、蓋１５ｂを閉じて収納ケース１５に収納した際に、ＲＦＩＤタグ１８の上面１８ｂが収納ケース１５側部の内壁面に近接するように穿設されている。
【００３０】
上記実施形態による作用について説明する。図３に示すように、ＲＦＩＤタグ１８の下面１８ａをプリント配線板１７の側端面１７ａに対面させて、ＲＦＩＤタグ１８の下面１８ａに突設された弾性アーム対２４の先端を図中矢印に沿ってプリント配線板１７の周縁の一角から挿入していく。係止突起２５ｂ、２６ｂのそれぞれは、プリント配線板１７の厚みｔ分だけ弾性変形することで生成されたアーム部２５、２６の付勢力に抗してプリント配線板１７に摺接しながら移動していく。図４及び図６に示すように、やがて係止突起２５ｂ、２６ｂが嵌合孔１７ｂに嵌合し、弾性アーム対２４がプリント配線板１７を挟持する。これによりＲＦＩＤタグ１８はプリント配線板１７の周縁に固定される。
【００３１】
次に、主制御回路基板１１をケース基部１５ａの所定位置に着脱自在に取り付け、蓋１５ｂを閉め、主制御回路基板１１を収納ケース１５内部に封入する。このとき主制御回路基板１１は、主制御回路基板１５のＲＦＩＤタグ１８の上面１８ｂが収納ケース１５側部の内壁面に近接するように設置される。
【００３２】
以上のように、ＲＦＩＤタグ１８をプリント配線板１７の周縁に弾性アーム対２４を介して装着することによって、プリント配線板１７上が視認し易くなる。また、交信時に発生する恐れがあるプリント配線板１７上の電気的ノイズを防止することができる。
【００３３】
また、弾性アーム対２４の係止突起２５ｂ、２６ｂが嵌合孔１７ｂに嵌合し、さらに弾性アーム対２４がプリント配線板１７の周縁において根元まで入り込んでプリント配線板１７を挟持するので、ＲＦＩＤタグ１８のプリント配線板１７上での揺れが抑制される。また、弾性アーム対２４を用いることによって、ＲＦＩＤタグ１８のプリント配線板１７への取り付けや取り外しを容易に行うことができるようになる。
【００３４】
また、ＲＦＩＤタグ１８の上面１８ｂが収納ケース１５側部の内壁面に近接するように設置されるので、ＲＦＩＤ  Ｒ／Ｗ２２を用いてＲＦＩＤタグ１８と通信を行う場合、図２に示すように、パチンコ機２の側方などの予め定められた方向からの通信が可能となる。さらに、ＲＦＩＤタグ１８の上面１８ｂが内壁面に近接するように調整しておくことで、ＲＦＩＤ  Ｒ／Ｗ２２とＲＦＩＤタグ１８との通信距離の短縮を図ることができる。これにより、仮に微弱電波で送受信を行なったとしてもＲＦＩＤ  Ｒ／Ｗ２２はＲＦＩＤタグ１８に対して確実に更新情報などの読み出し／書き込みを行なうことができる。
【００３５】
上記実施形態では、プリント配線板１７の周縁において弾性アーム対２４を根元まで入り込ませたが、アーム部２５ａ、２６ａを長くし、ＲＦＩＤタグ１８をプリント配線板１７から離間させるようにしても良い。これによりＲＦＩＤタグ１８とＲＦＩＤ  Ｒ／Ｗ２２とのデータ通信の距離が短縮され、正確なデータ通信が行なえるようになる。
【００３６】
上記実施形態では、図６に示すように、弾性アーム対２４をＲＦＩＤタグ１８の下面１８ａの略中心に設けたが、図７に示すように、ＲＦＩＤタグ１８の下面１８ａの周縁付近に設けても良く、弾性アーム対２４はＲＦＩＤタグ１８の下面１８ａであれば任意の箇所に設置することが可能である。
【００３７】
上記実施形態では、弾性アーム対２４でプリント配線板１７を挟持することによってＲＦＩＤタグ１８をプリント配線板１７の周縁に装着したが、装着方法はこれに限ることなく、図８に示すように、ＲＦＩＤタグ１８の下面１８ａに取り付け部材である突出片２８、２９を設け、突出片２８、２９のそれぞれにボルト孔２８ａ、２９ａを穿設し、嵌合孔１７ｂとボルト孔２８ａ、２９ａにボルト３０を挿入し、ナット３１で締結することで、プリント配線板１７の周縁を突出片２８、２９で挟持するようにしても良い。
また、図９に示すように、ＲＦＩＤタグ１８の下面１８ａに取り付け部材として突出片２９を１つだけ設け、上述したようにボルト３０とナット３１を用いてＲＦＩＤタグ１８をプリント配線板１７の周縁に装着することも可能である。
また、ＲＦＩＤタグ１８の下面１８ａをプリント配線板１７の側端面１７ａに工業用接着剤などで固着しても良く、プリント配線板１７に実装されている各種回路部品に接触することなく、プリント配線板１７の側端面１７ａに対峙するようにＲＦＩＤタグ１８が配置されていれば、ＲＦＩＤタグ１８をプリント配線板１７に装着する方法は適宜に変更することが可能である。
【００３８】
上記実施形態では、ＲＦＩＤタグ１８をプリント配線板１７に取り付けて主制御回路基板１１を構成したが、ＲＦＩＤタグ１８を、各種制御回路基板１２のそれぞれを構成しているプリント配線板に取り付けても良い。
【００３９】
上記実施形態では、ＲＦＩＤタグ１８に主制御回路基板１１、又は主制御回路基板１１を取り付ける部材に纏わる各種情報が格納されているが、格納される情報はこれに限ることなく、パチンコ機２を構成している各種部品に関連する情報を格納しても良い。
【００４０】
この場合、例えば、図１０に示すように、主制御回路基板１１が、パチンコ機７０の本体基部７１に対して着脱可能とする遊技盤ユニット７６に取り付けられると好適である。
遊技盤ユニット７６は、交換可能な遊技球案内レール枠７７と遊技盤７８と収納ケース７５を支持しつつ遊技盤７８の背面に取り付けられる支持体７９とからなる。収納ケース７５内には、プリント配線板１７の周縁にＲＦＩＤタグ１８を装着して構成される主制御回路基板１１が収納されている。そして、ＲＦＩＤタグ１８に記憶される情報として、本体基部７１に対して着脱可能とする遊技盤ユニット７６を構成する部品の他、収納ケース７５に収容された基板に実装された回路部品、支持体７９にて支持される液晶ユニット（不図示）、遊技盤ユニット７６を保持して本体基部７１に組み付けるための保持部材８０、この保持部材８０に軸支されるガラス８１付きの窓部を有する扉部材８２の少なくとも何れかに関連する部材名や前記部材の履歴（例えば、製造日、出荷日、出荷先、回収日、再利用回数）または耐久性、材料名などを記憶させるようにすると好適である。
【００４１】
上記実施形態では、パチンコ機を取り上げて説明したが、スロットマシン等の遊技機に対しても実施することは可能である。
【図面の簡単な説明】
【００４２】
【図１】本発明のパチンコ機の斜視図である。
【図２】パチンコ機の背面側の外観を示す斜視図である。
【図３】プリント配線板及びＲＦＩＤタグを示す斜視図である。
【図４】主制御回路基板を示す斜視図である。
【図５】ＲＦＩＤタグの外観を示す斜視図である。
【図６】主制御回路基板の部分的な断面図である。
【図７】弾性アーム対の取り付け位置を変えた場合の主制御回路基板の部分的な断面図である。
【図８】ＲＦＩＤタグをボルトを用いてプリント配線板に装着した場合の主制御回路基板の部分的な断面図である。
【図９】突出片が１つの場合の主制御回路基板の部分的な断面図である。
【図１０】パチンコ機の分解斜視図である。
【符号の説明】
【００４３】
２、７０    パチンコ機（遊技機）
１１  主制御回路基板（電子回路基板）
１７  プリント配線板（基板本体）
１８  ＲＦＩＤタグ（情報記憶媒体）
１９  ＩＣチップ（集積回路）
２１  送受信アンテナ（通信アンテナ）
２２  ＲＦＩＤリーダ／ライタ（所定装置）
２４  弾性アーム対（挟持部材）
２８、２９  突出片（取り付け部材）
【図１】
2005074145.tif 000003
【図２】
2005074145.tif 000004
【図３】
2005074145.tif 000005
【図４】
2005074145.tif 000006
【図５】
2005074145.tif 000007
【図６】
2005074145.tif 000008
【図７】
2005074145.tif 000009
【図８】
2005074145.tif 000010
【図９】
2005074145.tif 000011
【図１０】
2005074145.tif 000012